(57)【特許請求の範囲】
【請求項１】
バックパックシステムであって、
使用者の背中に平行に着用されうる基部、および前記システムを使用者の背中に背負うための２本の肩ストラップを含む、後部分と、
少なくとも１つの収納コンパートメントと、
前記後部分に連結された第１の区間、前記システムが使用者の背中にあるときに前記第１の区間から概ね水平の方向に回転するように前記第１の区間に旋回可能に取り付けられた第２の区間、および、前記システムが使用者の背中にあるときに前記第２の区間から概ね水平の方向に回転するように前記第２の区間に旋回可能に取り付けられた第３の区間を含む連接式フレームとを備え、前記第３の区間が、前記連接式フレームが回転することにより前記連接式フレームの前記第２の区間が前記使用者の側部に沿って配置された状態で前記少なくとも１つの収納コンパートメントが前記システムを着用している前記使用者の面前に配置されるように、前記少なくとも１つの収納コンパートメントに取り付けられ、前記少なくとも１つの収納コンパートメントの後ろ側が、展開位置で前記使用者の面前に回転されたときに前記使用者に面し、未展開位置で前記後部分に回転されたときにも前記使用者に面し、前記未展開位置で前記第２の区間及び前記第３の区間はいずれも前記使用者の背中に沿って配置された、バックパックシステム。
【請求項２】
前記後部分が、前記システムをさらに固定するために、使用者の身体の周囲に固定するためのベルトストラップをさらに含む、請求項１に記載のシステム。
【請求項３】
前記後部分が織物材料で構成され、前記連接式フレームの前記第１の区間が、一連の支持ループにより前記後部分の前記後面に接続される、請求項１に記載のシステム。
【請求項４】
前記第１の区間、前記第２の区間、及び前記第３の区間がそれぞれループを画定し、前記第３の区間が、概ね平坦なループを画定して、前記第２の区間によって画定された前記ループが、前記第１の区間によって画定された前記ループ内に存在する、請求項３に記載のシステム。
【請求項５】
前記未展開位置において、前記第２の区間によって画定された前記ループ及び前記第３の区間によって画定された前記ループが、前記後部分に平行な共通面に概ね存在する、請求項４に記載のシステム。
【請求項６】
バックパックシステムであって、
使用者の背中に平行に着用されうる基部、および前記システムを使用者の背中に背負うための２本の肩ストラップを含む、後部分と、
少なくとも１つの収納コンパートメントと、
前記後部分に連結された第１の区間、前記システムが使用者の背中にあるときに前記第１の区間から概ね水平の方向に回転するように前記第１の区間に旋回可能に取り付けられた第２の区間、および、前記システムが使用者の背中にあるときに前記第２の区間から概ね水平の方向に回転するように前記第２の区間に旋回可能に取り付けられた第３の区間を含む連接式フレームであって、前記第３の区間が、前記連接式フレームが回転することにより前記連接式フレームの前記第２の区間が前記使用者の側部に沿って配置された状態で前記少なくとも１つの収納コンパートメントが前記システムを着用している前記使用者の面前に配置されるように、前記少なくとも１つの収納コンパートメントに取り付けられ、前記少なくとも１つの収納コンパートメントの後ろ側が、展開位置で前記使用者の面前に回転されたときに前記使用者に面し、未展開位置で前記後部分に回転されたときにも前記使用者に面し、前記未展開位置で前記第２の区間及び前記第３の区間はいずれも前記使用者の背中に沿って配置される、連続式フレームと、  前記少なくとも１つの収納コンパートメントを前記未展開位置に固定するためのラッチであって、前記ラッチが、前記連接式フレームの前記第３の区間に取り付けられたラッチ付着部材と、前記ラッチ付着部材を受け入れる、前記後部分の後面上に配置されたラッチ受器とを含む、ラッチと、
前記ラッチ受器に取り付けられたケーブルであって、使用者が前記ラッチを解放して前記連接式フレームを展開できるようにするために、前記ラッチ受器から前記システムの前面へと延びる、ケーブルとを備えた、バックパックシステム。
【請求項７】
前記システムが、少なくとも１つの第２の収納コンパートメントをさらに備える、請求項１に記載のシステム。
【請求項８】
前記少なくとも１つの第２の収納コンパートメントが、前記後部分に直接取り付けられた、請求項７に記載のシステム。
【請求項９】
前記少なくとも１つの第２の収納コンパートメントが、前記後部分の後面に連結された第１の区間と、前記システムが使用者の背中にあるときに前記第１の区間から概ね水平方向に回転するように前記第１の区間に旋回可能に取り付けられた第２の区間と、前記システムが使用者の背中にあるときに前記第２の区間から概ね水平方向に回転するように前記第２の区間に旋回可能に取り付けられた第３の区間とを含む第２の連接式フレームに取り付けられ、それにより、前記第２の連接式フレームが回転すると、前記第２の連接式フレームの前記第２の区間が前記使用者の側部に沿って配置された状態で、前記少なくとも１つの第２の収納コンパートメントが前記システムを着用した前記使用者の面前に配置される、請求項７に記載のシステム。
【請求項１０】
前記第１の連接式フレームおよび前記第２の連接式フレームが、前記使用者の両側の周りで回転する、請求項９に記載のシステム。
【請求項１１】
前記少なくとも１つの収納コンパートメントが、使用者の面前に回転されたときに台として使用するための硬い上面を含む、請求項１に記載のシステム。
【請求項１２】
バックパックを着用した使用者の周りで前記バックパック上の構造を回転させて、前記バックパックの着用中に前記使用者の面前で前記構造にアクセスするための連接式フレームであって、
前記使用者に背負われたバックパックの一部分に連結するための第１の区間と、
前記システムが使用者の背中にあるときに前記第１の区間から概ね水平方向に回転するように前記第１の区間に旋回可能に取り付けられた第２の区間と、
前記システムが使用者の背中にあるときに前記第２の区間から概ね水平方向に回転するように前記第２の区間に旋回可能に取り付けられた第３の区間とを備え、前記第３の区間が、前記連接式フレームが回転することにより前記連接式フレームの前記第２の区間が前記使用者の側部に沿って配置された状態で前記連接式フレームを含む前記バックパックを着用した前記使用者の面前に前記構造が配置されるように、前記構造に取り付けられ、前記構造の後ろ側が、展開位置で前記使用者の面前に回転されたときに前記使用者に面し、未展開位置で前記後部分に回転されたときにも前記使用者に面し、前記未展開位置で前記第２の区間及び前記第３の区間はいずれも前記使用者の背中に沿って配置された、連接式フレーム。
【請求項１３】
前記連接式フレームが管状材料で構成された、請求項１２に記載の連接式フレーム。
【請求項１４】
前記第１の区間、前記第２の区間、及び前記第３の区間がそれぞれループを画定し、前記第３の区間が、概ね平坦なループを画定して、前記第２の区間によって画定された前記ループが、前記第１の区間によって画定された前記ループ内に存在し、前記未展開位置において、前記第２の区間によって画定された前記ループ及び前記第３の区間によって画定された前記ループが、共通の平行面に概ね存在する、請求項１２に記載の連接式フレーム。
【請求項１５】
前記第２の区間が、前記第１の区間上に存在する重なり合う管状材料片を含みかつ前記第１の区間上で回転する少なくとも１つの回り継手により、前記第１の区間に旋回可能に連結され、前記少なくとも１つの回り継手から前記第２の区間が延在する、請求項１３に記載の連接式フレーム。
【請求項１６】
前記連接式フレームが取り付けられるパックの後面上に配置されたラッチ受器への解放可能な付着のための、前記連接式フレームの前記第３の区間上に配置されたラッチ付着構造をさらに備える、請求項１２に記載の連接式フレーム。
【請求項１７】
前記少なくとも１つの収納コンパートメントが、概ね平坦な上面を含む、請求項１２に記載の連接式フレーム。
【請求項１８】
前記未展開位置において、前記第２の区間及び前記第３の区間はいずれも、前記第２の区間が少なくとも部分的に前記第１の区間内に折り畳まれて、前記使用者の背中に沿って配置される、請求項１に記載のシステム。
【請求項１９】
前記未展開位置において、前記第２の区間及び前記第３の区間はいずれも、前記第２の区間が少なくとも部分的に前記第１の区間内に折り畳まれて、前記使用者の背中に沿って配置される、請求項１２に記載の連接式フレーム。
【請求項２０】
前記未展開位置において、前記第２の区間及び前記第３の区間は少なくとも部分的に前記第１の区間内の凹部内に折り畳まれる、請求項１８に記載のシステム。
【請求項２１】
前記未展開位置において、前記第２の区間及び前記第３の区間は少なくとも部分的に前記第１の区間の凹部内に折り畳まれる、請求項１９に記載のシステム。
【請求項２２】
前記未展開位置において、前記第２の区間及び前記第３の区間はいずれも前記使用者の背中に沿って配置され、互いに対して概ね平行に存在する、請求項１に記載のシステム。
【請求項２３】
前記未展開位置において、前記第２の区間及び前記第３の区間はいずれも前記使用者の背中に沿って配置され、互いに対して概ね平行に存在する、請求項１２に記載の連接式フレーム。
【発明の詳細な説明】
【技術分野】
【０００１】
本発明は、物品を運搬するためのバックパックに関し、より詳細には、使用者の身体からバックパックを降ろすことなくアクセスすることが可能なバックパックに関する。
【背景技術】
【０００２】
バックパックは、物品を背負って運搬するために長く使用されてきた。従来のバックパックの設計は、使用者の肩を通り越してそれを支持する肩ストラップの付いたバッグに荷物を入れるものである。バッグ部分内の物品にアクセスするためには、使用者はバックパックを肩から降ろさなければならない。写真を撮るためにカメラを取り出したい、または何かを間近に見るために双眼鏡を取り出したいとハイカーが思ったときに、バックパックを降ろして物品を取り出すための時間により、好機を逃す可能性がある。
【０００３】
面前からアクセス可能なバックパックを創造する過去の試みは、ストラップを取り外すと使用者の身体の周りでバッグ部分を滑らせるかまたは持ち上げられるようになるストラップ構成を有するパックを含むものである。その開示が全体として参照により本明細書に組み込まれる米国特許第５４３７４０３号および第７３１６３４０号が、そうした試みの実例である。しかし、これらは、使用者には操作しづらかったり、使用者が肩ストラップを再配置する必要が求められたりする場合がある。
【０００４】
他の従来の試みは、主要なバッグから取り外して着用者を越えて面前に反転させることができる部分を持ったバックパックを含むものである。例えば、その開示が全体として参照により本明細書に組み込まれる米国特許出願公開第２００７／０２９５７７４号は、使用者の肩を越えて面前に持ってくることができる取り外し可能な「フリップ」バッグを持ったバックパックを開示している。同様に、その開示が参照により本明細書に組み込まれる米国特許第７６８１１６９号は、格納時には使用者の背中の上に固定されるが使用者の頭を越えてアクセス可能な面前位置まで回転させることができる可動のコンパートメントを含む、使用者に固着されるハーネスからなるバックパックを開示している。’１６９号特許のシステムは手の込んだものであり、また、’１６９号特許および’７７４号公開のシステムのどちらも、着用者の面前に持って行くと可動のコンパートメントまたはフリップバッグに入れられた物品が反転されて、その中の内容物が運搬位置と比べて上下逆さまに配置されるという欠点を有する。
【０００５】
単純な機構を使用して使用者がバックパックを降ろすことなく面前からその内容物にアクセスできるようにするバックパックが、当業界における改善点となるであろう。バックパックの収納部分を反転させることなくこのアクセスを提供するそのようなバックパックは、当業界におけるさらなる改善点となるであろう。
【発明の概要】
【課題を解決するための手段】
【０００６】
本発明は、着用者の面前からアクセス可能な少なくとも１つの部分を有するバックパックに関する。１つの例示的な実施形態では、本発明の原理によるバックパックシステムが、使用者がパックを運搬するための肩ストラップ付きの後部分を含む。いくつかの実施形態では、ベルトストラップも後部分に付着されうる。バックパックの旋回部分が、運搬位置では後部分に固着される収納コンパートメントとして形成される。連接式フレームが、後部分および旋回部分に固着されて、バックパックを着用した使用者が旋回部分を使用者の側部の周りで旋回させてその中の内容物にアクセスすることを可能にする。固定ラッチは、連接式フレームを固定して旋回部分を運搬位置に維持するために使用される。いくつかの実施形態では、パックの収納コンパートメント全体が旋回部分とされうるが、他の実施形態では、パックは、後部分に固定されるかまたは旋回部分として機能する複数の収納コンパートメントを含みうる。
【０００７】
旋回部分を含むように既存のバックパックに変更を加えるためのバックパックシステムおよびキットもまた、本発明に含まれる。
【０００８】
種々の図面が単に例示を目的としたものであることが、当業者には理解されるであろう。本発明の本質、および本発明の他の実施形態は、以下の詳細な説明、添付の特許請求の範囲、およびいくつかの図面を参照することにより、より明確に理解されうる。
【図面の簡単な説明】
【０００９】
【図１】未展開配置または運搬配置における、本発明の１つの実施形態によるバックパックシステムを着用した使用者の側面図である。
【図２】展開配置における、図１のバックパックシステムを着用した使用者の側面図である。
【図３】図１および図２のシステムの後部分の前側の正面図である。
【図４】システムのいくつかの構成要素を示す、ある程度展開された状態における図１から図３のシステムの背面図である。
【図５】図１から図４のシステムの連接式フレームの展開状態における配置を示す背面図である。
【図６】図１から図４のシステムの連接式フレームの未展開状態における配置を示す背面図である。
【図７】図７Ａは、本発明によるバックパックシステムの第２の実施形態の側面斜視図である。図７Ｂは、本発明によるバックパックシステムの第２の実施形態の側面斜視図である。図７Ｃは、本発明によるバックパックシステムの第２の実施形態の側面斜視図である。
【発明を実施するための形態】
【００１０】
本発明は、バックパックに入れた物品を運搬しかつバックパックの着用中にそれらの物品に面前からアクセスできるようにするための装置、システム、および方法に関する。本明細書において説明される実施形態は、特定の実施形態について示しているが、本発明または添付の特許請求の範囲に記載の範囲をそのように限定するようには意図されていないことが、当業者には理解されるであろう。当業者はまた、本発明の範囲から逸脱することなく、本明細書において提示される実施形態の様々な組合せまたは修正を行うことができることを理解するであろう。そうしたすべての代替実施形態が、本発明の範囲に含まれる。
【００１１】
図１から図６を参照すると、本発明によるバックパックシステムＢが示されている。図１に示されているように、システムＢは、典型的なデイパックと同じように着用されうる。システムＢは、後部分１００を含み、この後部分１００には、標準的なやり方で使用者の肩を越して配置することによりパックを運搬するための２本の肩ストラップ１０２および１０４が取り付けられる。示されているように、肩ストラップ１０２および１０４は、前面から、後部分１００の上方および下方の縁部の近傍で、後部分１００に取り付けられうる。特定の実施形態に望ましいとされうるような他の取付け点も使用されうることが、理解されるであろう。
【００１２】
示された実施形態におけるように、肩ストラップ１０２および１０４のそれぞれは、肩を通り越える上方部分１０６で構成することができ、この上方部分１０６には、その全長にわたってパッドを付けることができる。上方部分は、遠位端において、バックル１０８で終わることができ、上方部分は、このバックル１０８を介して下方部分１１０に接続され、下方部分１１０は、その他端において後部分１００に接続される。ストラップ１０２または１０４の有効長さは、下方部分１１０上でバックル１０８の位置を変えることによって調整することができる。
【００１３】
後部分１００の２つの側面縁部の対点上に、ベルトストラップ１２０が取り付けられうる。示されているように、ベルト１２０は、複数のストラップから形成されてもよく、また、当業者に知られているように、その長さを解放および調整するための１つまたは複数のバックルを含むことができる。
【００１４】
短いハイキング用のデイパックとしての使用を対象とした、示された実施形態では、後部分１００は、リップストップナイロンまたはキャンバス生地などの織物材料から構成される。任意の適切な材料を使用できることが、理解されるであろう。より大きなパックまたは頑丈な支持構造を必要とする使用法を対象とした代替実施形態では、後部分は、典型的な金属フレームバックパックと同様の、金属または十分な強度および剛性を有する他の材料で作られたフレームを含むことができる。そのような実施形態は、僻地の旅のためのキャンプ用具、または工具などの専門機材を搬送するための特殊なパックなどの大きな荷物を運搬するのに役立つであろう。
【００１５】
後部分１００の後面１５０上には、連接式フレーム２００を後部分１００に固着するために使用される複数の取付けループ１５２が存在する。取付けループは、ストラップ材料から形成されうる。示された実施形態Ｂでは、取付けループ１５２は、連接式フレーム２００を後部分１００に恒久的に取り付けるために、後部分１００に縫い付けられている。代替実施形態では、取付けループ１５２は、ベルクロなどのマジックテープか、または当技術分野で知られている他の方法によって固着されうる。取付けループ１５２の数および配置は、連接式フレーム２００および収納コンパートメント３００を十分に支持できるようにするために、所望に応じて変更することができる。
【００１６】
他の実施形態では、取付けループ１５２の代わりに、プレートが、後部分１００の後面近くに配置されたポケットまたはスリーブに入れられるなどして後部分１００に配置されうることが、理解されるであろう。そうしたポケットは、閉じられていてもよいし、プレートと連接式フレーム２００とをパックから分離することができるように開閉可能であってもよい。次いで、連接式フレーム２００は、プレートに直接ボルト留めされるかまたは鋲留めされてもよい。プレートは、パックに対して計画された使用法に応じて、プラスチックやアルミニウム、鉄、炭素繊維等のような適切な強度の材料で作られうる。後部分１００が金属フレームなどのフレームを含む他の実施形態では、連接式フレーム２００は、鋲、ボルト、または割ピンを含む適切な締結具を使用してフレームに直接取り付けることにより後部分１００に取り付けられうることが、理解されるであろう。
【００１７】
ラッチ受器ＬＲが、後部分Ｂの後面１５０上に固着され、また、ラッチ制御ケーブルＬＣが、１つまたは複数のラッチ案内ストラップ１５３により肩ストラップ１０２または１０４上に固着されて、ラッチ受器から肩ストラップ１０２または１０４に沿って延びうる。ラッチ受器ＬＲおよびラッチケーブルＬＣについては、さらに本明細書においてより詳細に論述される。
【００１８】
実施形態Ｂの連接式フレーム２００は、図５および図６に、バックパックシステムＢの残りの部分から分離されて最もよく示されている。後区間２０２が、本明細書において前述したように後部分１００に固着される、大きなループとして形成される。示された実施形態では、後区間２０２は、丸みを帯びた隅部を有する全体的に長方形のループとして形成される。後区間２０２は、ループとして示されているが、後部分１００に取り付けられるプレートまたは他の部材として形成されてもよいことが、理解されるであろう。後区間２０２の１つの側部区間沿いに、連接式フレーム２００の中間区間が側部区間２０４として取り付けられ、この側部区間２０４は、２つのヒンジまたは回り継手２０１Ａおよび２０１Ｂにより、後ループに取り付けられる。示されているように、側部区間２０４は、示された後区間２０２のループよりも小さいサイズの全体的に長方形のループとして形成することができ、また、示された側部区間２０４のループの１つの側部部材は、回り継手２０１Ａと２０１Ｂとの間で後区間２０２と共有されていてもよい。示されているように、各回り継手２０１は、側部区間２０４のループが取り付けられる後区間２０２のループ上に存在する管状材料の短片であってもよいことが、理解されるであろう。いくつかの他の実施形態では、回り継手は、側部区間２０４のループの上方部分および下方部分の両方がそこから延在する、後区間２０２のループの上に配置される管状材料の単一片として形成されうる。
【００１９】
後部分２０２がループではなく、プレートまたは他の部材である場合には、側部区間は、従来の方法かまたは当技術分野で知られている他の方法で回り継手もしくはヒンジを用いて後部分２０２に取り付けられる旋回アームとされうることが、理解されるであろう。
【００２０】
後区間２０２との連結部に対向した側部区間２０４の反対側には、連接式フレーム２００の第３の区間が前区間２０６として取り付けられる。示された実施形態では、前区間２０６は、２つのヒンジまたは回り継手２０３Ａおよび２０３Ｂにより側部区間２０４に取り付けられるループとして形成される。ループとして形成される場合、前区間２０６は、前区間２０６のループの１つの側部部材が回り継手２０３Ａと２０３Ｂとの間を側部区間２０４と共有した状態で、側部区間２０４のループよりも小さいサイズの全体的に長方形のループとして形成されうる。図６に示されているように、未展開位置では、前区間２０６のループおよび側部区間２０４のループは、後区間２０２のループ内に位置するように旋回されうる。そのような位置では、連接式フレーム２００の３つのループは、共通の平面内にすべて位置することになる。前区間２０６および側部区間２０４がループとして形成されていない場合、後区間は、未展開位置において概ね共通の平面内に前区間２０６および側部区間２０４が位置するように、それらを中に折り畳むことができる凹部を含みうることが、理解されるであろう。
【００２１】
１つまたは複数の連結プレート２０８が、前区間２０６によって形成されたループをまたがって配置されかつ連接式フレーム２００を収納コンパートメント３００に連結するのに使用されるものとして、前区間２０６に取り付けられうる。図４に示されているように、この連結は、連結プレート２０８を貫通するねじまたはボルト２０９を配置して収納コンパートメント３００のための支持構造に連結することによってなされうる。また、ラッチ付着構造ＬＡ（図５および図６）が、ラッチ受器ＬＲへのラッチ付着のために、前区間２０６上に配置されうる。あるいは、ラッチ付着構造は、図４に示されるようにラッチピンＬＰであってもよい。システムを未展開位置に維持するのに十分な強度を有する任意のラッチシステムを使用できることが、理解されるであろう。
【００２２】
示された実施形態は、示された３つのループの形態において管状材料に管状材料が入ったヒンジシステムを使用するが、連接式フレーム２００の他の実施形態は、本明細書において前述したように旋回アームおよびヒンジ付け部材などのループ以外の構成を使用しうることが、理解されるであろう。さらに、連接式フレーム２００は、運搬される荷物、およびパックの価格設定の適正点に応じて、構造成形プラスチック、アルミニウムビレット、鉄もしくは他の金属の管状材料、炭素繊維、さらにはチタン溶接物などの、適切な強度の材料で構成されうる。
【００２３】
収納コンパートメントＳは、バックパック内の運搬される物品を保持するための容器として形成されうる。示されているように、収納コンパートメントＳは、ジッパーによって開閉可能な、織物材料で作られた側部が柔軟なバッグとして形成されうる。他の実施形態では、収納コンパートメントＳは、側部が硬くされかつ適切な材料で形成されうることが、理解されるであろう。織物材料が使用される場合、収納コンパートメントは、その形状を維持するために内部または外部のフレームを含むことができる。そうしたフレームは、収納コンパートメントを支持するために、本明細書において前述したように前ループ２０６に取り付けられうる。
【００２４】
収納コンパートメントは、内側および外側のジッパーコンパートメントや後面または側面上の外部ポケットなどの複数のコンパートメントを含むことができることが、理解されるであろう。カメラレンズおよび写真撮影用の消耗品、フライフィッシング用具、工具、または他の特別な道具のために特別なサイズとなされたポケットなどの、様々なポケットおよびコンパートメントの構成が、様々な用途のために使用されうる。調整または移動することができる構成変更可能なポケットを含む実施形態も意図されている。収納コンパートメントＳはまた、収納コンパートメントＳに道具を固着するための外部ストラップを含むことができる。例えば、平坦な後面を含む収納コンパートメントＳが、冬期のハイキングのためにそこにスノーボードを固着できるようにするために、垂直方向に離間して配置された調整可能な２本の水平ストラップを有していてもよい。
【００２５】
使用に際して、使用者は、カメラ、水、軽食、またはハイキングのための他の消耗品などの運搬すべき所望の物品を、バックパックシステムＢに積み込むことができる。収納コンパートメントＳは、連接式フレーム２００を単一の平面に折り畳んだ状態で、後部分１００の後面１５０に隣接して未展開位置に維持される。前ループ２０６上のラッチ付着構造ＬＡは、ラッチ受器ＬＲに固着される。使用者は、肩ストラップ１０４および１０６を肩の上に置き、ベルト１２０を胴または腰の周囲に固定して、普通のやり方でシステムｂを着用する。
【００２６】
使用者は、収納コンパートメントへのアクセスを望むときには、ラッチを作動させて連接式フレーム２００を解放する。示された実施形態では、このことは、使用者の面前でラッチケーブルＬＣを引っ張ることによって行われる。次いで使用者は、収納コンパートメントＳを使用者の面前へと旋回させることができる。図２に示されているように、回り継手２０１により、連接式フレーム２００の側部区間２０４は、側部区間２０４が使用者の側部に隣接するように収納コンパートメントＳを前方に移動させることが可能になり、また、回り継手２０３により、前区間２０６は、収納コンパートメントＳの背面側が使用者に面するように収納コンパートメントＳを使用者の前に移動させることが可能になる。システムＢは、使用者の左側か右側のどちらかに側部区間２０４を配置するように設計することができること、および、本発明によるシステムは、様々な使用者の好みに合わせてどちらの様式にも作ることができ、または、使用者が望むのであれば後部分１５０上でフレーム２００を反転させることにより構成を変えられるようにすることができることが、理解されるであろう。
【００２７】
収納コンパートメントＳへのアクセスが終わると、次に使用者は、収納コンパートメントＳを未展開位置に戻し、また、連接式フレーム２００を固定して旋回部分を運搬位置に保持するために、ラッチが使用される。
【００２８】
本発明の実施形態は、パックシステムの収納部分全体が可動の収納コンパートメントＳを含む旋回部分とされうるものを含むことができるが、他の実施形態では、パックは、後部分に固定されるかまたは旋回部分として機能する複数の収納コンパートメントを含みうることが、理解されるであろう。例えば、肩ストラップ７０４と、後部分７０２上に配置されかつ標準的なバックパックの典型的な方法でアクセスすることができる収納コンパートメント７０６とを含む後部分７０２を備えたバックパックシステム７００が、図７Ａから図７Ｃに示されている。旋回部分８００が、収納コンパートメント８０２として形成されて、本明細書において前述された方法で図７Ｂおよび図７Ｃに示されているように展開することができる連接式フレーム８０４に取り付けられる。したがって、収納コンパートメント８０２は、システムを着用している使用者の面前でアクセス可能である。示されているように、収納コンパートメント８０２の上面は、パッド型コンピュータ８１５またはＧＰＳ受信機のような他の携帯型電子デバイスもしくはタッチスクリーンデバイスをその中に固定するように設計された凹部を含むことができる。ハイキング中にデバイスを保護するために、保護カバー８１０をベルクロまたは他の適切な締結具によって固着し、デバイス８１５を使用する際には移動させることができる。コンパートメント８０２の残りの部分は、ジッパークロージャとすることができる１つまたは複数の独立した開口部８１２によってアクセスされてもよい。
【００２９】
図７Ａから図７Ｃに示されているのと類似した実施形態によれば、使用者は、電子デバイスを運搬するだけではなく、電子デバイスを旋回させて、パックを取り外すことなく、実際にそれを両手でタイプしたり、インターネット検索したり、本を読んだり、映画を観たりすることもできるであろう。これは、極めて小さくかつ示されているような下方の旋回区間の上部の薄い区間に平らに置かれるパッド型コンピュータに、特に有用であろう。これにより、コンピュータをパックに組み入れた際には完全に保護され、かつ旋回機構を作動することにより平坦かつ表を上にした位置で容易にアクセスできるようにすることが可能になる。同様に、最新のラップトップコンピュータのサイズは、パックの後部に垂直にして携行されることが要件となりうるものであり、旋回する独立した区間内にラップトップを携行することができる。旋回させると、回転アタッチメントを有するであろうラップトップ区間は、使用するのに快適な角度まで回転する。どちらの場合でも、「コンピュータデスク」を完全に安定させられるようにするために、ヒンジに対向したパックの側に、クリップが含まれうる。
【００３０】
同様に、旋回部分は、安定した台を提供することができ、この台は一般に、使用者の正面において水平とされ、次いで使用者の反対側周辺の第２のクリップによって安定されうる。必要に応じて、器具または道具を台の上に配置することができる。
【００３１】
図７Ａから図７Ｃは下部収納コンパートメントからなる単一の旋回部分８００を含んだシステム７００を示しているが、異なる構成または異なる数の旋回部分を有する実施形態も使用されうることが、理解されるであろう。例えば、アクセスのために中間または下方の区間が旋回する一方で上方の区間が所定の位置のままでいるように、大きいまたは著しく重いパックを図７のように分割することができる。これにより、例えば、着用者の肩より上に伸びる背の高いトレッキングパックの場合に、パックのうちの最も重い部分を固定させたままで着用者がアクセスを必要とする物品のみを旋回させられるようにして、アクセスシステムを使用可能とすることができる。子供の通学用パックとして意図された他の例では、本などの重い物品が、固定されたままでいる背部の高い位置にあるパックの部分に積み込まれ、頻繁なアクセスが所望されるより軽い物品が、旋回部分に積み込まれうる。他の実施形態は、使用者の両側で旋回する、並置の旋回部分を含む。
【００３２】
本発明は、旋回部分を含むように既存のバックパックに変更を加えるためのキットをさらに含む。そうしたキットは、収納コンパートメントと、既存のバックパックに取り付けるための連接式フレームとを含みうる。
【００３３】
本発明は特定の実施形態について説明されたが、本発明は本開示の精神および範囲内でさらに修正されうる。したがって、本出願は、その一般的原理を使用する本発明のいかなる変形形態、使用法、または翻案物をも含むように意図されている。さらに、本出願は、本発明が関連する、また、添付の特許請求の範囲に記載の範囲に含まれる、当技術分野における既知のまたは従来の慣例の範囲でなされる本開示からの逸脱を含むように意図されている。
（項目１）
バックパックシステムであって、
使用者の背中に平行に着用されうる基部、および前記システムを使用者の背中に背負うための２本の肩ストラップを含む、後部分と、
少なくとも１つの収納コンパートメントと、
前記後部分の後面に連結された第１の区間、前記システムが使用者の背中にあるときに前記第１の区間から概ね水平の方向に回転するように前記第１の区間に旋回可能に取り付けられた第２の区間、および、前記システムが使用者の背中にあるときに前記第２の区間から概ね水平の方向に回転するように前記第２の区間に旋回可能に取り付けられた第３の区間を含む連接式フレームとを備え、前記第３の区間が、前記連接式フレームが回転することにより前記連接式フレームの前記第２の区間が前記使用者の側部に沿って配置された状態で少なくとも１つの収納コンパートメントが前記システムを着用している前記使用者の面前に配置されるように、前記少なくとも１つの収納コンパートメントに取り付けられる、バックパックシステム。
（項目２）
前記後部分が、前記システムをさらに固定するために、使用者の身体の周囲に固定するためのベルトストラップをさらに含む、項目１に記載のシステム。
（項目３）
前記後部分が織物材料で構成され、前記連接式フレームの前記第１の区間が、一連の支持ループにより前記後部分の前記後面に接続される、項目１または２に記載のシステム。
（項目４）
前記連接式フレームが、３つのループに形成された管状材料で構成され、未展開位置では、前記第３の区間が、前記第２の区間を画定する前記ループ内に存在し、前記第２の区間が、前記第１の区間を画定する前記ループ内に存在する、項目３に記載のシステム。
（項目５）
未展開位置において、前記連接式フレームの前記３つのループが、前記基部の前記後部分に平行な共通面に概ね存在する、項目４に記載のシステム。
（項目６）
前記少なくとも１つの収納コンパートメントを未展開位置に固定するためのラッチをさらに備え、前記ラッチが、前記連接式フレームの前記第３の区間に取り付けられたラッチ付着部材と、前記ラッチ付着構造を受け入れる、前記後部分の後面上に配置されたラッチ受器とを含む、項目１から５のいずれか一項に記載のシステム。
（項目７）
使用者が前記ラッチを解放して前記連接式フレームを展開できるようにするために、前記ラッチ受器から前記システムの前面へと延びる、前記ラッチ受器に取り付けられたケーブルをさらに備えた、項目６に記載のシステム。
（項目８）
前記システムが、少なくとも１つの第２の収納コンパートメントをさらに備える、項目１から７のいずれか一項に記載のシステム。
（項目９）
前記少なくとも１つの第２の収納コンパートメントが、前記後部分に直接取り付けられた、項目８に記載のシステム。
（項目１０）
前記少なくとも１つの第２の収納コンパートメントが、前記後部分の後面に連結された第１の区間と、前記システムが使用者の背中にあるときに前記第１の区間から概ね水平方向に回転するように前記第１の区間に旋回可能に取り付けられた第２の区間と、前記システムが使用者の背中にあるときに前記第２の区間から概ね水平方向に回転するように前記第２の区間に旋回可能に取り付けられた第３の区間とを含む第２の連接式フレームに取り付けられ、それにより、前記第２の連接式フレームが回転すると、前記第２の連接式フレームの前記第２の区間が前記使用者の側部に沿って配置された状態で、前記少なくとも１つの第２の収納コンパートメントが前記システムを着用した前記使用者の面前に配置される、項目８に記載のシステム。
（項目１１）
前記第１の連接式フレームおよび前記第２の連接式フレームが、前記使用者の両側の周りで回転する、項目１０に記載のシステム。
（項目１２）
前記少なくとも１つの収納コンパートメントが、使用者の面前に回転されたときに台として使用するための硬い上面を含む、項目１から１１のいずれか一項に記載のシステム。
（項目１３）
前記少なくとも１つの収納コンパートメントの第１の面が、前記使用者の面前に回転されたときには前記使用者に面し、前記後部分に回転されたときには前記使用者から見て外方に面する、項目１から１２のいずれか一項に記載のシステム。
（項目１４）
バックパックを着用した使用者の周りで前記バックパック上の構造を回転させて、前記バックパックの着用中に前記使用者の面前で前記構造にアクセスするための連接式フレームであって、
前記使用者に背負われたバックパックの一部分の後面に連結するための第１の区間と、
前記システムが使用者の背中にあるときに前記第１の区間から概ね水平方向に回転するように前記第１の区間に旋回可能に取り付けられた第２の区間と、
前記システムが使用者の背中にあるときに前記第２の区間から概ね水平方向に回転するように前記第２の区間に旋回可能に取り付けられた第３の区間とを備え、前記第３の区間が、前記連接式フレームが回転することにより前記連接式フレームの前記第２の区間が前記使用者の側部に沿って配置された状態で前記連接式フレームを含むバックパックを着用した前記使用者の面前に前記構造が配置されるように、前記構造に取り付けられた、連接式フレーム。
（項目１５）
前記連接式フレームが管状材料で構成された、項目１４に記載の連接式フレーム。
（項目１６）
前記管状材料が３つのループに形成され、未展開位置では、前記第３の区間が、前記第２の区間を画定する前記ループ内に存在し、前記第２の区間が、前記第１の区間を画定する前記ループ内に存在し、前記連接式フレームの前記３つのループが、共通の平行面に概ね存在する、項目１４または１５に記載の連接式フレーム。
（項目１７）
前記第２の区間が、前記第１の区間上に存在する重なり合う管状材料片を含みかつ前記第１の区間上で回転する少なくとも１つの回り継手により、前記第１の区間に旋回可能に連結され、前記少なくとも１つの回り継手から前記第２の区間が延在する、項目１５に記載の連接式フレーム。
（項目１８）
前記連接式フレームが取り付けられるパックの後面上に配置されたラッチ受器への解放可能な付着のための、前記連接式フレームの前記第３の区間上に配置されたラッチ付着構造をさらに備える、項目１４から１７のいずれか一項に記載の連接式フレーム。
（項目１９）
少なくとも１つの収納コンパートメントをさらに備え、前記少なくとも１つの収納コンパートメントが、前記連接式フレームが回転することにより前記使用者の面前に配置されるように前記第３の区間に取り付けられ、前記少なくとも１つの収納コンパートメントの第１の面が、前記使用者の面前に回転されたときには前記使用者に面し、前記未展開位置に回転されたときには前記使用者から見て外方に面する、項目１４から１８のいずれか一項に記載の連接式フレーム。
（項目２０）
前記少なくとも１つの収納コンパートメントが、全体的に平坦な上面を含む、項目１９に記載の連接式フレーム。
【図１】
0005813275.tif 000002
【図２】
0005813275.tif 000003
【図３】
0005813275.tif 000004
【図４】
0005813275.tif 000005
【図５】
0005813275.tif 000006
【図６】
0005813275.tif 000007
【図７Ａ】
0005813275.tif 000008
【図７Ｂ】
0005813275.tif 000009
【図７Ｃ】
0005813275.tif 000010